(57)【要約】【課題】部品点数を低減でき、配光を容易に調整できるＬＥＤ反射板ユニットおよびＬＥＤ照明器具を提供することを目的とする。【解決手段】熱伝導性を有するとともに、ＬＥＤ１１を移動可能に取付けたＬＥＤ固定板１２と、熱伝導性を有するとともに、ＬＥＤ固定板１２に連結され、ＬＥＤ１１の反対側の反射面１７に放熱フィン１４が設けられた反射鏡１５と、ＬＥＤ１１と反射鏡１５との相対的な位置関係を調整する配光調整部１６と、を備える。【選択図】図１
2013080601.tif 000002
【特許請求の範囲】
【請求項１】
熱伝導性を有するとともに、ＬＥＤを移動可能に取付けたＬＥＤ固定板と、
熱伝導性を有するとともに、前記ＬＥＤ固定板に連結され、前記ＬＥＤの反対側の面に放熱フィンが設けられた反射鏡と、
前記ＬＥＤと前記反射鏡との相対的な位置関係を調整する配光調整部と、を備えるＬＥＤ反射板ユニット。
【請求項２】
請求項１に記載のＬＥＤ反射板ユニットにおいて、
前記反射鏡の反射面は、前記ＬＥＤ固定板との連結部に近い部分ほど前記ＬＥＤ固定板との距離が漸次小となるように形成され、前記配光調整部は、前記ＬＥＤを、前記ＬＥＤ固定板におけるＬＥＤ取付面に対して平行移動可能としたＬＥＤ反射板ユニット。
【請求項３】
請求項１または請求項２に記載のＬＥＤ反射板ユニットにおいて、
前記配光調整部は、前記ＬＥＤ固定板を前記反射鏡に対して回動可能としたＬＥＤ反射板ユニット。
【請求項４】
請求項１ないし請求項３のうちのいずれか１項に記載のＬＥＤ反射板ユニットと、
前記ＬＥＤ反射板ユニットを支持する支持体と、
を備えるＬＥＤ照明器具。
【発明の詳細な説明】
【技術分野】
【０００１】
本発明は、ＬＥＤ反射板ユニットおよびＬＥＤ照明器具に関する。
【背景技術】
【０００２】
従来、ＬＥＤを固定するＬＥＤ固定部品と、ＬＥＤの光を反射させる反射鏡と、ＬＥＤの放熱のための放熱部品とを有するＬＥＤ照明器具が提案されている（例えば、特許文献１参照）。
【先行技術文献】
【特許文献】
【０００３】
【特許文献１】特開２００８−２２６７８８号公報（図２、図４、図６）
【発明の概要】
【発明が解決しようとする課題】
【０００４】
しかしながら、特許文献１に記載のＬＥＤ照明器具は、ＬＥＤの配光方向を調整することが困難であった。また、ＬＥＤの配光方向を調整するためには、配光方向が異なるＬＥＤ等を複数備える必要があり、構成が複雑になるという問題があった。
【０００５】
本発明は、従来の問題を解決するためになされたもので、配光方向を容易に調整でき、構成を簡略化できるＬＥＤ反射板ユニットおよびＬＥＤ照明器具を提供することを目的とする。
【課題を解決するための手段】
【０００６】
本発明のＬＥＤ反射板ユニットは、熱伝導性を有するとともに、ＬＥＤを移動可能に取付けたＬＥＤ固定板と、熱伝導性を有するとともに、前記ＬＥＤ固定板に連結され、前記ＬＥＤの反対側の面に放熱フィンが設けられた反射鏡と、前記ＬＥＤと前記反射鏡との相対的な位置関係を調整する配光調整部と、を備えるものである。
【０００７】
また、本発明のＬＥＤ反射板ユニットは、前記反射鏡の反射面は、前記ＬＥＤ固定板との連結部に近い部分ほど前記ＬＥＤ固定板との距離が漸次小となるように形成され、前記配光調整部は、前記ＬＥＤを、前記ＬＥＤ固定板におけるＬＥＤ取付面に対して平行移動可能としたものである。
【０００８】
また、本発明のＬＥＤ反射板ユニットは、前記配光調整部は、前記ＬＥＤ固定板を前記反射鏡に対して回動可能としたものである。
【０００９】
また、本発明のＬＥＤ照明器具は、上記ＬＥＤ反射板ユニットと、前記ＬＥＤ反射板ユニットを支持する支持体と、を備えるものである。
【発明の効果】
【００１０】
本発明のＬＥＤ反射板ユニットおよびＬＥＤ照明器具は、配光調整部によってＬＥＤの配光方向を容易に調整でき、かつ構成を簡略化できる。
【図面の簡単な説明】
【００１１】
【図１】本発明に係る第１実施形態のＬＥＤ反射板ユニットおよびＬＥＤ照明器具を示す側断面図
【図２】本発明に係る第１実施形態のＬＥＤ反射板ユニットおよびＬＥＤ照明器具の作用を説明する側断面図
【図３】本発明に係る第２実施形態のＬＥＤ反射板ユニットおよびＬＥＤ照明器具を示す側断面図
【図４】本発明に係る第２実施形態のＬＥＤ反射板ユニットおよびＬＥＤ照明器具の作用を説明する側断面図
【発明を実施するための形態】
【００１２】
以下、本発明の実施形態のＬＥＤ反射板ユニットおよびＬＥＤ照明器具について、図面を用いて説明する。
【００１３】
（第１実施形態）
図１に示すように、本発明に係る第１実施形態のＬＥＤ反射板ユニット１０は、熱伝導性を有するとともに、ＬＥＤ１１を移動可能に取付けたＬＥＤ固定板１２を有している。また、ＬＥＤ反射板ユニット１０は、熱伝導性を有するとともに、ＬＥＤ固定板１２に連結され、ＬＥＤ１１の反対面１３に放熱フィン１４が設けられた反射鏡１５を有している。ＬＥＤ固定板１２と反射鏡１５とによって、放熱経路が形成されている。
【００１４】
ＬＥＤ固定板１２と反射鏡１５との一端部は、連結板１８によって連結されている。連結板１８は、ＬＥＤ照明器具３０における支持体２２に、ねじ２３によって固定されている。
【００１５】
ＬＥＤ固定板１２は、平板状に形成されている。反射鏡１５の反射面１７は、連結板１８に近い部分ほどＬＥＤ固定板１２との距離が漸次小となるように形成されている。本実施形態では、反射面１７は、ＬＥＤ１１に対して凹となるように湾曲形成されている。
【００１６】
反射鏡１５の先端２０は、基部２１より、ＬＥＤ固定板１２との間隔が大となるように形成されている。各放熱フィン１４は、ＬＥＤ固定板１２に対して垂直方向に延出され、互いに平行になるように形成されている。
【００１７】
ＬＥＤ固定板１２、反射鏡１５、および放熱フィン１４は、熱伝導性の高い材料、例えばアルミニウム等によって形成するのが好ましい。
【００１８】
また、ＬＥＤ反射板ユニット１０は、ＬＥＤ１１と反射鏡１５との相対的な位置関係を調整することにより、ＬＥＤ１１の配光方向を調整する配光調整部１６を備えている。
【００１９】
配光調整部１６は、ＬＥＤ１１を、ＬＥＤ固定板１２におけるＬＥＤ取付面１９に対して平行移動可能となるように構成されている。本実施形態では、配光調整部１６は、ＬＥＤ固定板１２の基部から先端に向かって延びる長孔２４と、長孔２４を通してＬＥＤ１１に螺入されたねじ２５とを有している。なお、配光調整部１６は、上記構成に限らず、周知のスライド機構によって構成できる。
【００２０】
このＬＥＤ反射板ユニット１０においては、ＬＥＤ１１の配光方向を調整する場合は、図２に示すように、配光調整部１６によって、ＬＥＤ１１をスライドさせてＬＥＤ固定板１２に対する取付位置を変更する。
【００２１】
そうすると、ＬＥＤ１１と反射鏡１５との相対的な位置関係が変更され、ＬＥＤ１１の位置変更の前後において、ＬＥＤ１１の配光方向が変更される。
【００２２】
以上、説明した本発明に係る第１実施形態のＬＥＤ反射板ユニット１０およびＬＥＤ照明器具３０によれば、ＬＥＤ１１、反射鏡１５等を複数設けることなくＬＥＤ１１の配光方向を容易に調整でき、構成を簡略化できる。
【００２３】
また、反射鏡１５の反射面１７は、連結板１８に近い部分ほどＬＥＤ固定板１２との距離が漸次小となるように形成され、配光調整部１６は、ＬＥＤ１１を、ＬＥＤ固定板１２におけるＬＥＤ取付面１９に対して平行移動可能としたため、構成をさらに簡略化できる。
【００２４】
（第２実施形態）
図３は、本発明に係る第２実施形態のＬＥＤ反射板ユニット４０およびＬＥＤ照明器具５０を示す。なお、第１実施形態と同様の部材には、同一の符号を付けて詳細な説明を省略する。
【００２５】
このＬＥＤ反射板ユニット４０は、配光調整部であるヒンジ４１によって、ＬＥＤ固定板１２を反射鏡１５に対して回動可能となるように構成されている。ここでは、配光調整部として、ヒンジ４１を例示しているが、ヒンジ以外の周知の回動機構によって構成できる。
【００２６】
このＬＥＤ反射板ユニット４０においては、ＬＥＤ１１の配光方向を調整する場合は、図４に示すように、配光調整部であるヒンジ４１によって、ＬＥＤ固定板１２を回動させる。
【００２７】
そうすると、ＬＥＤ１１と反射鏡１５との相対的な位置関係が変更され、ＬＥＤ１１の回動前後において、ＬＥＤ１１の配光方向が変更される。
【００２８】
以上、説明した本発明に係る第２実施形態のＬＥＤ反射板ユニット４０およびＬＥＤ照明器具５０によれば、ＬＥＤ１１の配光方向を簡単な構成で容易に調整できる。
【符号の説明】
【００２９】
１０、４０  ＬＥＤ反射板ユニット
１１  ＬＥＤ
１２  ＬＥＤ固定板
１３、１７  反対面
１４  放熱フィン
１５  反射鏡
１６  配光調整部
１８  連結板
１９  ＬＥＤ取付面
２０  放熱フィンの先端
２１  放熱フィンの基部
２２  支持体
２３、２５  ねじ
２４  長孔
３０、５０  照明器具
４１  ヒンジ（配光調整部）
【図１】
2013080601.tif 000003
【図２】
2013080601.tif 000004
【図３】
2013080601.tif 000005
【図４】
2013080601.tif 000006